Podtech/llm-jp-corpus-v4-ja_patent huggingface dataset:
(57)【要約】      （修正有）【課題】コーヒーは収穫後に、果肉を除去し、１〜２週間乾燥させ、パーチメント皮を割って除去し、焙煎という全機械での工程になる。乾燥は、機械で割れやすくするために必要な工程である。日本で特に沖縄でコーヒー栽培が盛んになってきたが、観光農園や収穫体験経営を考えるにあたり、乾燥工程に１〜２週間かかると、客は自分が収穫したコーヒーが飲めないことがあった。【解決手段】コーヒー果肉を剥いた種をペンチで潰して、パーチメント皮を割り、生豆を取り出し、そのまま焙煎することで、客は自分が収穫したコーヒーを飲めることになる。【選択図】なし【特許請求の範囲】
【請求項１】
コーヒーの焙煎前の乾燥工程を省くために、果肉を剥いた種をペンチで潰して、パーチメント皮を割り、生豆を取り出す方法（［選択図］なし）。
【発明の詳細な説明】
【技術分野】
【０００１】  本発明は、コーヒーの収穫からの加工処理工程中で、乾燥工程に関する分野である。
【背景技術】
【０００２】  コーヒーは熱帯・亜熱帯が栽培適地であり、先進国へ大量輸送するために大量生産、また機械での大量加工を行っている。収穫後に、果肉を除去し、１〜２週間乾燥させ、パーチメント皮を割って除去し、焙煎という全機械での工程になる。乾燥は、そのままではパーチメント皮が水分を保ちつつ固いため、機械で割れやすくするために必要な工程である。【０００３】  今回発明の背景として、近年沖縄でコーヒー栽培が盛んになった事にある。沖縄は観光客が多く、コーヒー農家も観光農園での収穫体験を目論んでいるが、乾燥工程に１〜２週間かかると、客は自分が収穫したコーヒーが飲めない。
【先行技術文献】
【０００４】  関連する特許は、今までは需要も発想も無かったこともあり、無し。
【発明の概要】
【発明が解決しようとする課題】
【０００５】  コーヒー観光農園での収穫体験で、客は自分が収穫したコーヒーが飲めなかった。
【発明が解決するための手段】
【０００６】  収穫直後に、水分を含んだ割れにくいパーチメント皮付きの種を、ペンチで潰し、パーチメント皮を割る。そしてすぐに焙煎し、飲む方式が採用できる。
【発明の効果】
【０００７】  コーヒー観光農園での収穫体験で、客が自分で収穫したコーヒーを加工して飲めるようになる。収穫〜試飲体験になり、サービスの価値が上がる。
【図面の簡単な説明】
【０００８】  特に複雑な発明では無く、コロンブスの卵的な発明なので、図面は無しとする。
【発明を実施するための形態】
【０００９】  コーヒー観光農園で、ペンチを置き、客に、収穫・果肉剥き・ペンチでのパーチメント皮剥き・焙煎・試飲をさせる。
(57)【要約】      （修正有）【課題】噴射ノズルを飛行物体の前方に位置し引っぱりで飛行する飛行物体を提供する。【解決手段】飛行物体は主噴射ノズルが重心より前方にありかつ進向方向にある。前部噴射ノズル１０は支持翼９により本体１から離れており高温の噴射によるダメージが少ない。支持翼９は軽く強いカーボンファイバー製は有効である。酸化済３推進済４はポンプ７により燃焼室５に運ばれ噴射ノズル１０により噴射される。このとき噴射反動部は飛行物体の先頭にありきわめて安定した打ち上げが可能になる。ペイロード２は酸化済３および推進済４の上にあるがこの位置関係はてきぎ変更が可能である。【選択図】図１
2019059454.tif 000002
【特許請求の範囲】
【請求項１】
飛行物体の主噴射ノズルの位置が飛行物体の重心より前方及び進行方向に位置し飛行物体をＦＦの前輪駆動車の原理で引っぱりで飛行する事を特微とする飛行物体．
【請求項２】
請求項１の飛行物体で噴射ノズルは複数に分岐して噴射制御が可能であることを特微とする飛行物体．
【請求項３】
請求項１において噴射ノズルが耐熱性である事を特徴とする飛行物体
【請求項４】
請求項１の飛行物体で噴射ノズルが最後尾にない事を特微とする飛行物体．
【請求項５】
請求項１において通常のように最後尾にも噴射ノズルを持つ事を特微とする飛行物体
【請求項６】
飛行物体のエンジンが通常とは逆の進向方向に前方に向いたエンジンで前方に噴射された噴射は噴射ノズル内で反転Ｕ−ターンして後方に噴射される事を特微とする飛行物体
【請求項７】
請求項６の飛行物体で噴射ノズルは方向が可変でありＶＴＯＬに応用できる事を特微とする噴射ガイド
【発明の詳細な説明】
【背景技術】
【０００１】従来ロケットやジェットエンジンに用いられる噴射ノズルはロケット本体のエンジンの進行方向の逆の後方に位置し車にたとえるなら後輪駆動で飛行物体の重心の後方に噴射ノズルが位置していた。
又ジェットエンジンにおいてはジェットエンジンの後方でありジェット機の重心とほぼ同じか後方であった。
【発明の開示】
【発明が解決しようとする課題】
【０００２】上記の如く従来技術に係る噴射ノズルはエンジンの後方で後方に噴射し反動で前進するものであった。
そのため飛行物体の重心を押す位置関係であり、ロケットの場合は下端に噴射ノズルがあり上方に打ち上げるには噴射ノズルの高度な制御技術が必要であった。
又、一度バランスを崩すと立て直すことはきわめて困難であり失敗となった。
飛行物体の重心がわずかな制御範囲をこえると立て直す事は不可能で高価な飛行物体は爆破されていた。
【課題を解決するための手段】
【０００３】上記目的を達成するために本発明の飛行物体は飛行物体の主噴射ノズルの位置が飛行物体の重心より前方及び進行方向に位置し飛行物体をＦＦの前輪駆動車の原理で飛行する事、すなわち引っぱりで前進する事を特微とした噴射ノズルの飛行物体噴射ノズルは複数に分岐されていて噴射制御が可能である事を特微とする。
又噴射ノズルは耐熱性である。
一例として飛行物体の主噴射ノズルの位置が飛行物体の重心より前方及び進向方向に位置し飛行物体をＦＦ車の前輪駆動の原理で飛行する事を特微とした飛行物体において通常のように最後尾にも噴射ノズルを持つ事を特微とする飛行物体
飛行物体のエンジンが通常とは逆の進向方向に前に向たエンジンで前方に噴射された噴射は噴射ノズル内で反転Ｕ−ターンして後方に噴射される事を特微とする
前方を向いたエンジンの噴射ノズルは方向が可変でありシャッター方式を使ったものやＦ３５方式等さまざまである。
ＶＴＯＬにも応用できる事を特微とする飛行物体を提求する。
【発明の効果】
【０００４】以上説明したように本発明では飛行物体の主噴射ノズルの位置が飛行物体の重心より前方及び進向方向にあるので噴射反動部すなわち本飛行物体を動かそうとする作用点が前方にある。
そのために飛行物体は引っぱられる形で飛行する。
この飛行は安定していて横風等の外力が飛行物体に加っても飛行物体はひっぱられる形ですぐに姿勢は安定する。
安全で安定した飛行に極めて有効である。
【発明を実施するための最良の形態】
【０００５】本発明の実施の形態を図面に基ずき詳細に説明する。
図１に示すように本飛行物体は主噴射ノズルが重心より前方にありかつ進向方向にある。
前部噴射ノズル１０は支持翼９により本体１から離れており高温の噴射によるダメージが少ない。
支持翼９は軽く強いカーボンファイバー製は有効である。
酸化済３推進済４はポンプ７により燃焼室５に運ばれ噴射ノズル１０により噴射される。
このとき噴射反動部は飛行物体の先頭にありきわめて安定した打ち上げが可能になる。
ペイロード２は酸化済３および推進済４の上にあるがこの位置関係はてきぎ変更が可能である。
【図面の簡単な説明】
【０００６】
【図１】図１のように上部噴射ノズル１０と下部噴射ノズル６の両方の噴射を用いると大なものを打ち上げる事が可能である。噴射ノズルは単体で大形化するのは技術的に困難である  それで複類の噴射ノズルを並べるが密集すると放熱に不利であり危険である。上下に噴射ノズルを分けて分散すると有効である。
【図２】図２は翼１２を使ってさらに外側に噴射ノズルを配置したものでこの場合ノズル合計は８個である。８個の噴射ノズルを使えば着陸も容易で可能となる  噴射位置が本体と離れるので噴射熱によるトラブルを回避できる。
【図３】図３は噴射が反転Ｕ−ターンする噴射ノズルで噴射ノズル木体１５から上方に噴射され噴射ガイド１７の先で噴射反転ガイド１６により噴射は反転される。噴射反転ガイドは支技アーム１８と２０により支持される。反転された噴射は噴射ガイド側反転ガイド１９により拡散しない。
【図４】図４は枝分かれした反転噴射ガイド２２で姿勢制御に有効である。
【図５】図５は噴射が反転する噴射ノズルで噴射ガイド側反転ガイド２３が飛行物体本体１５の外径より大きく飛行物体本体１５を噴射の熱から守る。噴射反転ガイド１６は支持アーム２４より支持される。
【図１】
2019059454.tif 000003
【図２】
2019059454.tif 000004
【図３】
2019059454.tif 000005
【図４】
2019059454.tif 000006
【図５】
2019059454.tif 000007
(57)【要約】【課題】  資源の節約になり、森林保護にもなる、腐らなくて強度の大きい木製の人工島を提供することにある。【解決手段】  本願発明に係る人工島は、断面正六角形の筒体４を横方向に多数接合させたハニカム状の浮体１を木材で形成し、前記浮体１を水中に沈め、その上に建造物を設置してなるものである。そして、その人工島において、前記筒体４の断面六角形の相対する３組の辺５どうしの間に吸引作用を及ぼしながら横設する水平支持梁１０，１０，１１，１１，１２，１２を備えたことを特徴とする。【選択図】  図１
2019059297.tif 000002
【特許請求の範囲】
【請求項１】
断面正六角形の筒体を横方向に多数接合させたハニカム状の浮体を木材で形成し、前記浮体を水中に沈め、その上に建造物を設置してなる人工島において、前記筒体の断面六角形の相対する３組の辺どうしの間に吸引作用を及ぼしながら横設する水平支持梁を備えたことを特徴とする人工島。
【請求項２】
各１組の辺どうしに平行な２本以上の水平支持梁を備えたことを特徴とする請求項１記載の人工島。
【請求項３】
水平支持梁は錆びない性質を備えたワイヤー材であることを特徴とする請求項１又は２記載の人工島。
【発明の詳細な説明】
【技術分野】
【０００１】
本願発明は、木材の浮体で作られ、海又は湖等の水中に浮かぶ人工島に関するものである。
【背景技術】
【０００２】
本願発明者は、資源の節約になり、森林保護にもなる、腐らなくて強度の大きい木製の人工島として、断面正六角形の筒体を横方向に多数接合させたハニカム状の浮体を木材で形成し、前記浮体を水平に沈め、その上に建造物を設置し、前記筒体を多数の角材を組合せてなるものを発明した（特許文献１）。
【先行技術文献】
【特許文献】
【０００３】
【特許文献１】特開２０１１−１６２０１７号公報
【発明の概要】
【発明が解決しようとする課題】
【０００４】
そして、本願発明者はさらにこの人工島を進化させるべく、鋭意研究・開発を進めて、本願発明を完成させるに至った。
【課題を解決するための手段】
【０００５】
第１の発明は、断面正六角形の筒体を横方向に多数接合させたハニカム状の浮体を木材で形成し、前記浮体を水中に沈め、その上に建造物を設置してなる人工島において、前記筒体の断面六角形の相対する３組の辺どうしの間（辺と辺の間）に吸引作用を及ぼしながら横設する水平支持梁を備えたことを特徴とするものである。
第２の発明は、各１組の辺どうしに平行な２本以上の水平支持梁を備えたことを特徴とする同人工島である。
第３の発明は、水平支持梁は錆びない性質を備えたワイヤー材であることを特徴とする同人工島である。
【発明の効果】
【０００６】
本願発明によれば、以下のような効果を有する。
（１）人工島を構成する筒体の断面六角形の相対する３組の辺どうしの間に収縮作用を及ぼしながら横設する水平支持梁を備えたことで、六角形構造体である筒体に対極吸引網が形成されて、木造のハニカム総合力建築構造体を実現できる（吸引力応用による六角形構造体建築の構築）。
（２）各１組の辺どうしに平行な２本以上の水平支持梁を備えることで、筒体に形成される対極吸引網が安定する。
（３）水平支持梁は錆びない性質を備えたワイヤー材であることによって、人工島に錆の発生を防止できて、耐久性が増す。また、木材の他にワイヤーを使用することで材料の軽量化が図られ、工期及び工費の改良が可能になる。
【図面の簡単な説明】
【０００７】
【図１】本願発明の実施形態を示す説明図。
【発明を実施するための形態】
【０００８】
本願発明の実施形態を図面に基づいて説明する。但し、図示するものは本願発明の一例であり、本願発明は図示のものに限定されるものではない。
【０００９】
図１に図示するように、本願発明に係る人工島は、断面正六角形の筒体４を横方向に多数接合させたハニカム状の浮体１を木材で形成し、前記浮体１を水中に沈め、その上に建造物を設置してなるものである。
【００１０】
そして、その人工島において、前記筒体４の断面六角形の相対する３組の辺５どうしの間に吸引作用を及ぼしながら横設する水平支持梁１０，１０，１１，１１，１２，１２を備えたことを特徴とするものである。
水平支持梁に吸引作用を有することで、六角形構造体である筒体４に対極吸引網が形成されて、筒体４の六角形構造体がバランスの取れた極めて強固なものとなる。その結果、木造のハニカム総合力建築構造体を実現できる。
【００１１】
なお、水平支持梁は各１組の辺どうしに１本以上あればよいが、平行な２本以上の水平支持梁を備えることで、筒体に形成される対極吸引網が安定する。
また、水平支持梁は錆びない性質を備えたワイヤー材であることが好ましい。人工島に錆の発生を防止できるからである。
このような吸引作用や錆びない性質などを備えた水平支持梁（ワイヤー材）として、熱可塑性炭素繊維複合材「ＣＡＢＫＯＭＡ（カボコーマ）ストランドロッド」などの使用を想定している。
【産業上の利用可能性】
【００１２】
本願発明は、資源の節約になり、森林保護にもなる、腐らなくて強度の大きい木製の人工島として幅広く利用できるものである。
【符号の説明】
【００１３】
１  浮体
４  筒体
５  辺
１０  水平支持梁
１１  水平支持梁
１２  水平支持梁
【図１】
2019059297.tif 000003
(57)【要約】【課題】  本発明は、従来のコの字型の金網の囲いのある檻は、警戒心旺盛な野生鳥獣は簡単に入らなかったので、本発明では支柱を除き金網の囲いは蝶番を支えに斜め上に上げ周囲どこからでも入れるようにして捕獲率向上を考えた野生鳥獣捕獲檻を提供する。【解決手段】  台座の角に四本支柱をそれぞれネジ止め固定し、これにストッパー止めパイプを設置しストッパーを支柱連結パイプ、天蓋、支柱、台座の順に設置支柱の上端に天蓋をネジ止め固定し、次に落下扉を蝶番でネジ止めし落下扉の上端中央部に支え金をネジ止め固定し支柱の上端に支柱連結パイプを固定金具で強くネジ止め固定し、踏板とてこ金を連動引き金で繋ぎ野獣が踏板上の釣り餌に目がくらみ踏板を踏むと連動引き金てこ金と連動し瞬時に落下扉が落下し落下扉の上に乗ったストッパーも同時に落下し野獣を閉じ込むようにした野生鳥獣捕獲装置。【選択図】図１
2019208489.tif 000002
【特許請求の範囲】
【請求項１】
台座（１）の角に四本支柱（２）をそれぞれネジ止め固定し、これにストッパー止めパイプ（１３）を設置しストッパー（１２）を支柱連結パイプ（４）、天蓋（３）、支柱（２）、台座（１）の順に設置支柱（２）の上端に天蓋（３）をネジ止め固定し、次に落下扉（６）を蝶番（７）でネジ止めし落下扉（６）の上端中央部に支え金（８）をネジ止め固定し支柱（２）の上端に支柱連結パイプ（４）を固定金具（５）で強くネジ止め固定し、踏板（１０）とてこ金（９）を連動引き金（１１）で繋ぎ野獣が踏板（１０）上の釣り餌（１４）に目がくらみ踏板（１０）を踏むと連動引き金（１１）てこ金（９）と連動し瞬時に落下扉（６）が落下し落下扉（６）の上に乗ったストッパー（１２）も同時に落下し野獣を閉じ込むようにした野生鳥獣捕獲装置。
【発明の詳細な説明】
【技術分野】
【０００１】  本発明は、従来のコの字型の金網の囲いのある檻は、警戒心旺盛な野生鳥獣は簡単に入らなかったので、本発明では支柱を除き金網の囲いは蝶番を支えに斜め上に上げ周囲どこからでも入れるようにして捕獲率向上を考えた野生鳥獣捕獲檻に関するものである。
【背景技術】
【０００２】  従来の檻は、コの字型の金網の囲い中に好物の餌があっても警戒心旺盛な野獣は簡単に入らなかった。
そこで、金網の囲いをなくしてどこからでも入れるようにしたものである。【０００３】
【特許文献１】特開２００４−１２１０５９号公報
【特許文献２】特開２０１３−２３６６１２号公報
【特許文献３】特開２０１０−２６８６９９号公報
【発明の概要】
【発明が解決しようとする課題】
【０００４】  それには、次のような問題点があった。
従来の金網の囲いのある檻は、警戒心旺盛な野獣は好物の餌があっても簡単に入らなかった。
本発明は、これらのような問題点を解決するためになされたものである。
【課題を解決するための手段】
【０００５】  台座（１）の角に四本支柱（２）をそれぞれネジ止め固定し、これにストッパー止めパイプ（１３）を設置しストッパー（１２）を支柱連結パイプ（４）、天蓋（３）、支柱（２）、台座（１）の順に設置支柱（２）の上端に天蓋（３）をネジ止め固定し、次に落下扉（６）を蝶番（７）でネジ止めし落下扉（６）の上端中央部に支え金（８）をネジ止め固定し支柱（２）の上端に支柱連結パイプ（４）を固定金具（５）で強くネジ止め固定し、踏板（１０）とてこ金（９）を連動引き金（１１）で繋ぎ野獣が踏板（１０）上の釣り餌（１４）に目がくらみ踏板（１０）を踏むと連動引き金（１１）てこ金（９）と連動し瞬時に落下扉（６）が落下し落下扉（６）の上に乗ったストッパー（１２）も同時に落下し野獣を閉じ込むようにした野生鳥獣捕獲装置。
本発明では、支柱（２）を除く囲いの金網は、蝶番を支えに斜め上に上げ周囲どこからでも入れるようにした。
【発明の効果】
【０００６】  警戒心旺盛な野獣も囲いがないため好物の釣り餌目がけて簡単に入り捕獲率がよくなった。
【図面の簡単な説明】
【０００７】
【図１】  本発明をセットした状態を示した側面図である。
【図２】  本発明の落下扉（６）が落下した状態を示した平面図である。
【図３】  本発明をセットした状態を示した平面図である。
【図４】  本発明の天蓋（３）の部分の拡大平面図である。
【図５】  本発明のストッパー部分の拡大斜視図である。
【発明を実施するための形態】
【０００８】  以下、本発明の実施の形態について説明する。
台座（１）の角に４本の支柱（２）をそれぞれネジ止め固定し、ストッパー止めパイプ（１３）を設定し、次にストッパー（１３）を支柱連結パイプ（４）、天蓋（３）、支柱（２）、台座（１）の順に設定する。
次に支柱（２）の上端に天蓋（３）をネジ止め固定する。
次に落下扉（６）を蝶番（７）でネジ止めする。
次に落下扉（６）の上端に支柱連結パイプ（４）を固定金具（５）で強くネジ止め固定する。
次に台座（１）の中央に踏板（１０）を設定して、てこ金（９）と連動引き金（１１）に繋ぐ。
本発明は以上のような構造である。
本発明の使い方を説明する。
落下扉（６）とストッパー（１２）を同時に斜め上に、台座（１）、支柱（２）、天蓋（３）、支柱連結パイプ（４）の順に上げそれぞれ突起棒（１５）で仮止めし落下扉（６）の支え金（８）に、てこ金（９）を掛け連動引き金（１１）を踏板（１０）に繋ぎ安全装置（１６）を掛け仮止めして突起棒（１５）を取り除き最後に安全装置（１６）を外してセットは完了する。
セット中央の踏板（１０）の上にある野獣の好物に釣られて警戒心なく中に入り踏板（１０）を踏むと瞬時に四方の落下扉（６）が上に乗ったストッパー（１２）も同時に落下し野獣を閉じ込める。
【符号の説明】
【０００９】    １  台座
２  支柱
３  天蓋
４  支柱連結パイプ
５  固定金具
６  落下扉
７  蝶番
８  支え金
９  てこ金
１０  踏板
１１  連動引き金
１２  ストッパー
１３  ストッパー止めパイプ
１４  釣餌
１５  突っ張り棒
１６  安全装置
【図１】
2019208489.tif 000003
【図２】
2019208489.tif 000004
【図３】
2019208489.tif 000005
【図４】
2019208489.tif 000006
【図５】
2019208489.tif 000007
(57)【要約】【課題】従来のフック状の釣針は、魚の掛かりはよいが、根がかりし易く、複雑な水底の、藻や岩などに根掛かりすると、容易には外せない問題があった。【解決手段】フック状釣針の、釣針軸部と釣針先端部の間に、関節部を設け、釣針先端部を折り畳み、釣針軸部に針先を密着可能とし、関節部から釣針先端部と反対側に延長して突き出た、釣針先端部と一体の誘導体受け部を持つこと特徴とする、根掛り防止釣針である。【選択図】図１
2019208420.tif 000002
【特許請求の範囲】
【請求項１】
フック状釣針の釣針軸部と釣針先端部の間に、関節部を設け、釣針先端部を開閉可能に設け、関節部から釣針先端部と反対側に延長して突き出た、釣針先端部と一体の誘導体受け部を持つことを特徴とする、根掛り防止釣針である。
【請求項２】
前記、誘導体受け部を磁化させ、釣針軸部との引力で釣針先端部を開く作用を持たせた、請求項１記載の根掛り防止釣針である。
【発明の詳細な説明】
【技術分野】
【０００１】
本発明は、根掛りを防止する手段を設けた釣針に関する。
【背景技術】
【０００２】
従来のフック状の釣針は、魚の掛かりはよいが、根掛りし易く、複雑な水底の、藻や岩などに根掛りすると、容易には外せない問題があった。
【先行技術文献】
【特許文献】
【０００３】
【特許文献１】実願平５-７６２７８  根掛り防止機能を備えた釣り針
【特許文献２】実願２００３−３３０４  釣針
【特許文献３】特願平２−２９５４７４  餌付け自在釣針
【発明の概要】
【発明が解決しようとする課題】
【０００４】
実願平５-７６２７８  根掛り防止機能を備えた釣り針や、実願２００３−３３０４  釣針  に示す、根掛りを防止する機能を備えた釣り針では、釣針自体では、従来のフック形状を有し、針先は開いてフトコロ部を形成している。
【０００５】
このため、根掛りの主要因である針先を完全に隠していないため、水底の複雑な形状や絡みつく藻などに対して有用性が低く、広く実用化されていないのが実状であった。
【０００６】
特願平２−２９５４７４  餌付け自在釣針は、中間水深域で利用する、生餌等の餌付けの簡便さにのみ考慮し、根掛り防止の手段が無いものであった。
【課題を解決するための手段】
【０００７】
本願発明の根掛り防止釣針では、フック状釣針の、釣針軸部と釣針先端部の間に、関節部を設け、釣針先端部を折り畳み、釣針軸部に針先を密着可能にしている。
【０００８】
更に、釣針先端部を開閉可能に設けた関節部から釣針先端部と反対側に延長して突き出た、釣針先端部と一体の誘導体受け部を持つことを特徴とする、根掛り防止釣針である。
【０００９】
誘導体は、釣法により、浮力を持つ物、沈む物、疑似餌形状のものなど様々な物が考えられるが、引揚時等には水圧を受けて釣針先端部を折畳み、針先を隠す効果を持たせるものである。
【発明の効果】
【００１０】
本願発明の根掛り防止釣針では、仕掛けの投入時、引揚時に誘導体に係る水圧により、誘導体受け部を引張り、釣針先端部を折畳み釣針軸部に針先を密着収納するもので、水圧により容易に針先は開かず、根掛りを防止するものである。
【００１１】
水底に仕掛けが静止した状態では、水圧が加わらないため、針先が開いたり、閉じたりの挙動を繰り返す。
【００１２】
魚が捕食動作を行う場合も、誘導体の影響は小さく簡単に針先は開き、釣果に結び付くものである。
【図面の簡単な説明】
【００１３】
【図１】本願発明の実施例を示す斜視図である。
【図２】本願発明の作用（投入・引揚）を示す斜視図である。
【図３】本願発明の作用（引揚時）を示す斜視図である。
【図４】本願発明の作用（浮力誘導体）を示す斜視図である。
【図５】本願発明の作用（沈む誘導体）を示す斜視図である。
【発明を実施するための形態】
【００１４】
図1は、本願発明の根掛り防止釣針の実施例で、フック状の釣針の、釣針軸部と釣針先端部の間に、関節部を設け、釣針先端部を折り畳み、釣針軸に針先を密着可能にしている。
密着した針先は、釣針軸部に設けた針先隠し部の陰に隠され、更に根掛りをし難くしている。
【００１５】
誘導体受け部は、開孔部を設け、種々の誘導体に付け替えを可能としている。
更に誘導体受け部には磁気を帯びさせて、釣針軸部との引力で針先が開きやすくしている。
【００１６】
また、誘導体受け部は、釣針軸部に設けた、開き止め部にて、開きすぎないようにも設けられている。
【００１７】
図２には、本願発明の投入時、引揚時の作用を示しており、投入時には錘の落下力と、誘導体への水圧で、誘導体受け部を引くため、針先は隠され根掛りを防止する。
【００１８】
更に、引揚時には、道糸にて引揚げられると、誘導体に水圧がかかり、誘導体受け部を引くため、針先は隠され根掛りを防止する。
【００１９】
図３には、本願発明の引揚時による作用詳細を示しており、水底にある岩や、藻、海藻などを擦りながら引き揚げられるため、針先が根掛りする可能性が高い。
【００２０】
しかし、本願発明の根掛り防止釣針では、針先は収納されているため、針先による根掛りの可能性は、殆どなくなることになる。
【００２１】
図４では、本願発明の浮力誘導体による作用を示しており、水底の錘から釣り糸で連結された、根掛り防止釣針は、浮力誘導体により、水中を漂っている。
【００２２】
魚が、釣り餌を捕食しようとすると、誘導体や釣り糸を引きずり、針先部は開き、魚の口元を掛けて、捕獲することを示している。
【００２３】
図５では、本願発明の沈む誘導体による作用を示しており、誘導体は錘を用いている。
【００２４】
水底に静止した錘と連結した釣り糸と道糸で、根掛り防止釣針を引き合うと、針先は隠されるが、道糸を緩めると針先は開き、魚が捕獲可能となる。
【００２５】
この時、誘導体受け部が、磁気を帯びて釣針軸部との引力で、より針先が開きやすく、釣果が上がる作用が発揮される。
【産業上の利用可能性】
【００２６】
本願発明の根掛り防止釣針によれば、従来釣行不可能であった荒根磯などの釣行も可能となり、全く新しい手法による釣技法の可能性を生む釣針である。
【符号の説明】
【００２７】
１    釣針軸部
２    釣針先端部
３    関節部
４    針先
５    カエシ
６    チモト
７    開き止め部
８    誘導体受け部
９    針先隠し部
１０  釣り糸
１１  誘導体
１２  錘
１３  道糸
１４  釣り餌
１５  藻・海藻
１６  岩
【図１】
2019208420.tif 000003
【図２】
2019208420.tif 000004
【図３】
2019208420.tif 000005
【図４】
2019208420.tif 000006
【図５】
2019208420.tif 000007
(57)【要約】  【課題】  まとめた髪を容易且つ確実に留めることができるヘアアクセサリーを提供する。  【解決手段】  湾曲状に形成され一対の挿通孔１１，１２を有するカバー１０と、一対の挿通孔１１，１２に挿通可能なスティック２０とを備え、まとめた髪をカバー１０とスティック２０との間に保持するヘアアクセサリー１であって、スティック２０は、合成樹脂からなる帯板状の部材であり、基端部２１から先端部２２に向けて幅狭となるようにテーパ状に形成され、少なくとも一方の挿通孔１１の縁部に係止される。【選択図】  図１
2019208875.tif 000002
【特許請求の範囲】
【請求項１】
湾曲状に形成され一対の挿通孔を有するカバーと、
一対の前記挿通孔に挿通可能なスティックとを備え、
まとめた髪を前記カバーと前記スティックとの間に保持するヘアアクセサリーであって、
前記スティックは、合成樹脂からなる帯板状の部材であり、基端部から先端部に向けて幅狭となるようにテーパ状に形成され、少なくとも一方の前記挿通孔の縁部に係止されるヘアアクセサリー。
【発明の詳細な説明】
【技術分野】
【０００１】
本発明は、ヘアアクセサリーに関する。
【背景技術】
【０００２】
最近、マジェステと呼ばれるヘアアクセサリーが流行しつつある。マジェステは、まとめた髪にカバーを被せてスティックを差し込むことにより、簡単に髪を留めることができるように構成されており、カバーのデザインや質感を変えることで、バリエーションを楽しむことができる。
【０００３】
ところが、従来のマジェステは、非特許文献１に開示されているように、カバーに差し込んだスティックが抜けて脱落し易いという問題を有しており、この対策が求められていた。
【先行技術文献】
【特許文献】
【０００４】
【非特許文献１】“［マジェステ］抜ける!落ちる!!対策方法と抜け落ちない裏技  ショートでも使えるの？安いのは通販”，［online］，永久に女子であれ，［平成３０年５月３１日検索］，インターネット＜ＵＲＬ：https://towa-jyoshi.com/majesute-nukeru-otiru-hazureru-taisaku-syo-to-yasui-tuuhan-gekiyasu-kakaku-nedan-arenji-2017-ryuukou/＞
【発明の概要】
【発明が解決しようとする課題】
【０００５】
そこで、本発明は、まとめた髪を容易且つ確実に留めることができるヘアアクセサリーの提供を目的とする。
【課題を解決するための手段】
【０００６】
本発明の前記目的は、湾曲状に形成され一対の挿通孔を有するカバーと、一対の前記挿通孔に挿通可能なスティックとを備え、まとめた髪を前記カバーと前記スティックとの間に保持するヘアアクセサリーであって、前記スティックは、合成樹脂からなる帯板状の部材であり、基端部から先端部に向けて幅狭となるようにテーパ状に形成され、少なくとも一方の前記挿通孔の縁部に係止されるヘアアクセサリーにより達成される。
【発明の効果】
【０００７】
本発明によれば、まとめた髪を容易且つ確実に留めることができるヘアアクセサリーを提供することができる。
【図面の簡単な説明】
【０００８】
【図１】本発明の一実施形態に係るヘアアクセサリーの正面図である。
【図２】図１のＡ−Ａ断面図である。
【図３】図１に示すヘアアクセサリーの分解図である。
【図４】本発明の他の実施形態に係るヘアアクセサリーの断面図である。
【発明を実施するための形態】
【０００９】
以下、本発明の実施の形態について、添付図面を参照して説明する。図１は、本発明の一実施形態に係るヘアアクセサリーの正面図であり、図２は、図１のＡ−Ａ断面図である。図１および図２に示すように、ヘアアクセサリー１は、まとめた髪を覆うカバー１０と、カバー１０に装着されるスティック２０とを備えている。カバー１０およびスティック２０の材料は、例えばアクリル樹脂やセルロースアセテート樹脂等のように、アクセサリー用として従来から使用されている合成樹脂を好適に使用することができる。
【００１０】
カバー１０は、断面円弧状に湾曲して形成されており、一対の挿通孔１１，１２が湾曲方向の両端部にそれぞれ設けられている。一対の挿通孔１１，１２は、本実施形態では同じ大きさの矩形状であり、スティック２０の厚みと略同じ高さを有するスリット状に形成されている。
【００１１】
スティック２０は、偏平な帯板状の部材であり、一定の厚みで基端部２１から先端部２２に向けて幅狭となるようにテーパ状に形成されており、一対の挿通孔１１，１２に挿通されることにより、一方の挿入孔１１に係止される。
【００１２】
上記の構成を備えるヘアアクセサリー１は、図３に示すように、まとめられた髪Ｈをカバー１０の湾曲部に収容した状態で、一対の挿入孔１１，１２にスティック２０の先端部２２を挿入することにより、従来のマジェステと同様にカバー１０とスティック２０との間に髪Ｈを保持することができる。
【００１３】
スティック２０は、合成樹脂からなり、基端部２１から先端部２２に向けて幅狭となるようにテーパ状に形成されているため、スティック２０を一対の挿入孔１１，１２に差し込んでスティック２０の幅方向両側が一方の挿入孔１１の縁部に当接した際に、スティック２０が弾性により挿入孔１１の縁部に密着して保持される。これにより、カバー１０に装着したスティック２０が不意に抜け落ちるのを抑制することができ、まとめた髪Ｈを確実に留めることができる。
【００１４】
本実施形態のヘアアクセサリー１は、スティック２０を一対の挿入孔１１，１２のどちらからもスティック２０を差し込むことが可能であり、スティック２０が先に差し込まれた挿入孔１１に係止されるように構成されているが、一方の挿入孔１１を他方の挿入孔１２よりも大きくして、スティック２０が一対の挿入孔１１，１２の双方に係止されるように構成してもよい。
【００１５】
また、図４に示すように、一方の挿入孔１１へのスティック２０の挿入方向に対して、他方の挿入孔１２がオフセットされた配置にすることで、一対の挿入孔１１，１２に挿入されたスティック２０に撓りを生じさせるように構成してもよい。この構成によれば、上述したスティック２０のテーパ形状による係止に加えて、スティック２０の弾性変形を利用して一対の挿入孔１１，１２に係止させることができるので、スティック２０の脱落をより確実に防止することができる。
【符号の説明】
【００１６】
１  ヘアアクセサリー
１０  カバー
１１，１２  挿通孔
２０  スティック
【図１】
2019208875.tif 000003
【図２】
2019208875.tif 000004
【図３】
2019208875.tif 000005
【図４】
2019208875.tif 000006
(57)【要約】      （修正有）【課題】重箱型敷き板付き巣箱は、ごみ、スムシのタマゴ等が敷き板に溜まりミツバチの外敵であるスムシの発生源となって、スムシがミツバチの巣を食い荒らし、ミツバチの飼育が不可能とならないような、加えて、敷き板を取った巣箱に巣箱固定板をネジ釘で付けた大型敷きナシ箱をつくり、その中央に吊るすことにより、ごみ、スムシのタマゴ等は土中に落として、スムシの孵化が僅かに止められ、スムシが成長して巣箱内へ侵入することのない構造を有する掃除楽楽の日本ミツバチ巣箱を提供する。【解決手段】日本ミツバチ重箱型敷き板付き巣箱の敷き板を取った敷きナシ巣箱１に巣箱固定板２をネジ釘で付け、別に大型敷きナシ箱３を作り、大型箱の中央に重箱型敷きナシ巣箱を固定して吊るし、大型敷きナシ箱３の外側下半分を、埋め土７で埋める構造であり、土中観察窓４、巣箱前側観察窓、巣箱後側観察窓の３ヵ所で年２〜３回の観察と管理を行う。【選択図】図２
2019141019.tif 000002
【特許請求の範囲】
【請求項１】
従来の日本ミツバチ重箱型敷き板付き巣箱の、敷き板を取った巣箱（１）に  巣箱固定板（２）  をネジ釘で付けて、大型敷きナシ箱（３）  の中央に吊るし、大型箱の外側下半分を埋め土（７）  で埋める構造であり、巣箱前側観察窓（５）  巣箱後側観察窓（６）  土中観察窓（４）  で管理する。
掃除楽楽の日本ミツバチの巣箱である。
【発明の詳細な説明】
【技術の分野】
【０００１】この発明は、大型敷きナシ箱を作り、その大型箱の中央に、従来の重箱型敷板付き、日本ミツバチ巣箱の敷き板をとり、大型箱の中央に吊るした、敷き板ナシの。
掃除楽楽の日本ミツバチ巣箱に関するものである。
【背景技術】
【０００２】従来の日本ミツバチの巣箱は、敷き板付きの巣箱で、週１回程度の掃除を必要とした。
【先行技術文献】
【特許文献】
【０００３】
【特許文献１】
【発明概要】
【発明が解決しようとする課題】
【０００４】  これは、次のような欠点があった。
従来の日本ミツバチの重箱型敷き板付き巣箱は、ごみ  スムシの  タマゴ等が敷き板に溜り、ミツバチの外敵である、スムシの発生源となる為、週１回程度の掃除を必要とした。
本発明は以上のような欠点を、なくすためなされたものである
【課題を解決する為の手段】
【０００５】従来の日本ミツバチ重箱型敷き板付き巣箱の、敷き板を取った、巣箱（１）  に巣箱固定板（２）  をネジ釘で付けて、別に大型敷きナシ箱（３）  を作り、その大型箱の中央に重箱型敷きナシ巣箱を固定して吊るし大型敷きナシ箱の外側下半分を埋め土（７）  で埋める構造であり、土中観察窓（４）  巣箱前側観察窓（５）  巣箱後側観察窓（６）  の３ヵ所で年２〜３回の観察と管理を行う。本発明は以上の構成よりなる。
掃除楽楽の日本ミツバチ巣箱である。
【発明の効果】
【０００６】これは天然に住む日本ミツバチが、大きな古木の空洞に住み付き、何年も生息している事に着目し、過去７年間、試行錯誤を繰り返し完成したものである。
従来の重箱型巣箱の敷き板を取り。
巣箱固定板を付けて、大型敷きナシ箱の中央に吊るすことで、ごみ  スムシの卵等が地表に落下することで。土中の自然の働きによりミツバチに適した、自然に近い環境を作ることでスムシの僅かな孵化はあるが。大量発生を見ることも無く、敷きナシ巣箱を、空間に吊るすことで、スムシの巣箱内への侵入が無く、掃除をほとんど必要としない。
【図面の簡単な説明】
【０００７】
【図１】  本発明の正面図である
【図２】  本発明の断面図である
【図３】  本発明の平面図である
【発明を実施する為の形態】
【０００８】以下、本発明を実施するための形態について説明をする。
従来の重箱型敷板付き巣箱の敷き板を取った、巣箱（１）  に巣箱固定板（２）  をネジ釘で付けて、大型敷きナシ箱（３）  の中央に吊るして、固定する。本発明は、以上の様な構造である。
この巣箱を使用する時は、従来どおりの最良の巣箱設置場所に置き、大型箱の外側下半分を埋め土（７）  に埋めて使用する。ごみ  スムシのタマゴ等は、土中に落ち孵化発生が少なく成長して巣箱への侵入がなく、掃除の必要はほとんど無い。
（生物の飼育であり、土中観察窓（４）  巣箱前側観察窓（５）  巣箱後側観察窓（６）  の３ケ所で年２〜３回の観察と管理は必要である。）
【符号の説明】
【０００９】１  敷きナシ巣箱
２  巣箱固定板
３  大型敷きナシ箱
４  土中観察窓
５  巣箱前側観察窓
６  巣箱後側観察窓
７  埋め土
８  ミツバチ出入り口
【図１】
2019141019.tif 000003
【図２】
2019141019.tif 000004
【図３】
2019141019.tif 000005
(57)【要約】      （修正有）【課題】犬や猫などのブラッシング時に毛玉があった場合はさみやカミソリで取り除くがその都度道具を持ち替えるのが手間であった。それを容易にするために可動式カミソリの刃内蔵コームを提供する。【解決手段】コームの内側に出し入れ可能なカミソリの刃を設け、通常のブラッシング時は刃を隠したまま使用し、毛玉があった場合、簡単な操作でコームの刃にカミソリの刃が出て、道具を持ち替えること無く毛玉を除去できる。【選択図】図１
2019141029.tif 000002
【特許請求の範囲】
【請求項１】
内蔵されたカミソリの刃が出し入れ可能なコーム。
【選択図】図１
【発明の詳細な説明】
【技術分野】
【０００１】この発明はペットの手入れに関するものである。
【背景技術】
【０００２】ペットの毛の手入れアイテムとしてコームはよく使われる。
【先行技術文献】
【０００３】
【発明の概要】
【発明が解決しようする課題】
【０００４】従来犬や猫などのペットの毛を手入れする場合、ブラシやコームを使用する。しかし細い動物の毛は毛玉になりやすく、それをほぐすのも困難で、取り除くしかない。
しかしその際に、ブラシやコームで強く引っ張るとペットが痛がるのと同時に皮膚にダメージを与えてしまう。
また、はさみやカミソリで切り落とそうとすると、細かい毛で出来た毛玉と皮膚の区別がつきにくく、誤って皮膚を傷つける場合も多かった。
【課題を解決するための手段】
【０００５】コームの内部に可動式のカミソリの刃を設ける。
グリップ部分に設けてあるトリガーを引くことで、内部のカミソリの刃がコームの突起の付け根部分に少しだけ出る。
以上のような構造になっている。
通常は刃はコームの内部に隠れているので、普段は通常のコームと変わりなく毛の手入れを施せる。
しかし毛玉がコームに引っかかった場合、グリップ部分にあるトリガーを何度か引く事で、皮膚にダメージを与えず毛玉を除去することが出来る。
【発明の効果】
【０００６】本発明は以上のような構成であることから、通常は一般的なコームと同じように使ってペットの毛の手入れをしておきながら、毛玉がコームに絡んだ時のみ刃を出し入れすることで皮膚にダメージを与えること無く毛玉を除去することができる。
その際に毛玉になっていない毛はテンションがかかっていないのでカミソリの刃が触れるとコームの外側に逃げるので切り落とす必要の無い毛まで切り落とす心配が無い。
【図面の簡単な説明】
【０００７】
【図１】可動式カミソリの刃内蔵コームの刃をしまっている状態の断面図である。
【図２】可動式カミソリの刃内蔵コームの刃を出している状態の断面図である
【図３】可動式カミソリの刃内蔵コームの刃をしまっている状態の外観図である。
【図４】可動式カミソリの刃内蔵コームの刃を出している状態の外観図である
【発明を実施するための形態】
以下本発明を実施するための形状について説明する。
コームの内部にカミソリの刃を設ける。グリップに刃を出すためのトリガーを設ける。トリガーを話したときに刃が内部に収まるように，スプリングを取りつける
【符号の説明】
【０００９】１  コーム本体である。
２  可動式のカミソリの刃である。
３  グリップに設けてあるトリガーである。
４  スプリングである。
【図１】
2019141029.tif 000003
【図２】
2019141029.tif 000004
【図３】
2019141029.tif 000005
【図４】
2019141029.tif 000006
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
内蔵されたカミソリの刃が出し入れ可能なコーム。
(57)【要約】      （修正有）【課題】モチが喉に詰まって窒息死するのを防ぐモチの提供。【解決手段】棒状固形モチの周りを外皮（表皮）で包み込むことによって、茹でたり煮たりしたときモチ同志がくっついたり＜外皮があるため＞、団子状やかたまり＜状＞になるのを防ぎ、よって食道内で、ノドに引っ掛かることなくスムースにモチが通過出来て窒息＜事故＞死の発生を防ぐモチ。【選択図】なし【特許請求の範囲】
【請求項１】
本発明はモチが喉に詰まつて窒息＜事故＞死するのを防ぐ発明である。棒状固形モチの周りを外皮（表皮）で包み込むことによつて、茹でたり煮たりしたときモチ同志がくっついたり＜外皮があるため＞、団子状やかたまり＜状＞になるのを防ぎよつて食道内で、ノドに引っ掛かることなくスムースにモチが通過出来て窒息＜事故＞死の発生を防ぐものである。
【発明の詳細な説明】
【発明の概要】
それではそもそもモチによる窒息死とは一体ナゼ起こるのであろうか？。この事は人々つまり各々、一人一人、各人、それぞれ、個人個人、個々の人々、名々がそれぞれ注意すれば防ぐことが出来るものなのであります。よつてモチによる窒息事故死ではなくて、人災死なのであるが、本文では便宜上事故死と呼びます。併しながら実際に死者が出ている以上、それを防ぐのは発明家の使命でもあるんです。もともとモチによる窒息事故死を防ぐには、例えば欧米人のようにモチを食わなければ窒息死は起こらない事。半分または全面的に少量しか食わせないこと＜強制＞。、モチの代替品を探し出すまたは見つけ出すこと。しかしこのことは例えば、フグの刺身の代わりを見つけることは困難であること。結論としてはモチを食つてもノドに詰まつて＜つかえて＞窒息しないように工夫すれば良いこと。そしてまた＜そもそも＞モチが詰まつて窒息死するのを防ぐには大別すると２通りあり、そのひとつはモチがノドに詰まらないように工夫すること、そのふたつ目はモチがノドに詰まつても死なないようにすること。窒息死とは呼吸が出来なくなることであり、つまり呼吸が出来なければつまり酸素が不足すること。よつて酸素を注射とかで「捕給」すること、または圧迫されている「気管支」に応急的緊急的に管を通して呼吸出来るようにすること。それともノドに引っ掛かつているモチのかたまりをすべりの良い液体を流し込んで同時に柔軟な棒をノドに突っ込んでモチのかたまりを強引に胃袋にまで押し込むこと。これまで口を下になるように逆さにしてモチのかたまりを「吐き出させる」方法ことはこれまで良く行こなわれているようであります。またそもそもモチによる窒息＜事故＞死とは「気のゆるみ」に起因、原因、要因となりこのことはつまり不用心のことであり油断のことでありまた心のスキが出来ることでもあるのです。体力の衰えを自覚出来ない高齢者にとつては、毎年お正月シ−ズンともなると（または祝い事でも良い）、高齢者にとつては何十年もモチ（おぞうに）を齢の数程食つて来ているのであり、それらの経験及び実績上から、な〜に自分はこれまでこれぐらいのモチのかたまりよりも、もっと大きいのを何度も食つて来ている、これぐらいならへ〜き、へ〜き、大丈夫大丈夫何んてことはないとおとそ気分も手伝つて（またはアルコ−ルの勢い）ぞうにモチをパク付いてモチがノドにつかえたとたんに目をパチクリ、お目目を白黒させてもアトの祭りであり、手遅れなのであります。
またこれまでのところ、この地球上で一体どれほどの人口（人々）が食物をノドに詰まらせて死んでいつているかの正確な統計がない。これはそのような統計を取つても（作つても）誰れも何んのトクもしないこと。またそのような統計を発表したところで、人々は「アッ、そうですか！」と云つた程度であり、誰も振り向きもしないこと。またこの事に最も近い国連保健機構統計局でも、その腰は重いのであります。またこの地球上＜世界規模のこと＞で交通事故死者数は一体どれほどの数にのぼるのか、との問いにも、これらは病気による死者数、がんによる死者総数や各個別の病名による、死者総数と数え上げればキリがないからでもあるのです。只国別＜国単位＞ではそれでもおおよその数値は国内関係各機関で発表もしているようでもあるのです。また世界中と云つても、例えばアマゾンのジャングル奥地では、一体誰がどのように死んで行つているのか皆目見当も付かないのであり、そもそも部族間でのそれなりの呼び名はあるにせよ＜あつても＞、正式な氏名を持つているのは居ないからでもあるんです。また云う迄もなく（て）、モチを食わない欧米人にとつては、モチでの窒息死よりも、肉のかたまりによる窒息死の方がより関心事であり、心配事でもあるのです。また麺類の場合、うどんそば、パスタラ−メン類等その他でも、店頭（店舗）で売つているものは比較的に「成熟」した＜十分に茹で上げられた＞ゆで方であり、それらに引替え、家庭料理の場合では、ゆで方が不足、足りなくて、中に「こし」とか芯が残つている場合があり、少し硬目の麺類があり、これらを食すると万が一にもノドに詰まつて窒息死するわずかな可能性を全面的に否定することは出来ません。中には少し硬目のソバ、うどんを好む人もいるようですが「ノド越しをツルンツルンとスベる方は一体どうなっているんダッ！」そんなこと云われましてもしょうがないですヨ、と云つた感じのことなんです。よつて本発明品麺状＜筋状、ヒモ状、棒状とも云う＞モチは口の中で噛むと、まるでミニトマトを口中で噛んだトキのように、プシュ−とはじけて、中味（身）がジュワッとにじみ広がり出て来るのであるが、それらをツルンと飲み込む事によつてノドに引っ掛かるのを防ぐ事が出来て来ます。また今後の流れとしましては、これらのヒモ＜麺＞状モチこそが、これからの主流となればいいな＜モチのこれまでの固定概念、観念を打ち破り、つまりかがみ餅、まんじゅう型モチ、切り餅＜板状＞以外のこと＞と希望しています。そしてまたこれまでにも＜つまり昔＞（モチを）食べ易いようにと小型化、小粒化したモチもあるにはあつたが＜例、キャラメル型、サイコロ型、真珠型、金平糖型とう（この場合主に大きさのこと）＞あつたのだけれども、併しいくら食べ易いと云つても、それらをまとめて３つ４つ口の中に入れる（放り込む）となんにもならないので＜口の中でだんご状のかたまりになること＞、本発明品はそれらを外皮で包むことによつて、なるべくくっつくのを防ぎ、ツルンと食道を通過、無事にスベル事が出来て来るのであります。従いまして、本発明品ではモチを口の中でクチャクチャと噛む＜例チュ−イングガム＞、あくまでツルンツルンと麺類に似て、ススル感じへと移動＜移行＞してゆくのであります。また結論からゆへば、単にノド内でのスベリが良くなる＜外皮によつて＞だけで、口の中でのモチ（ぞうに）を食つた感じは、その食感、食味は全く変わりはありません。まさにモチを食つた感じとなること、つまりフグの刺身を食えばフグを食つた感じに浸れること。そしてまた、本件（発明）の場合（たぐい）は、通常＜本来は＞商品として売れ出してから＜商品化のこと＞、そこで初めて（特許）権利取得化、取得をめざすこと、すべき性格のものではあるが、そこはホレッ！、先願主義とかどうのこうのと色々あり、構想＜アイデア＞の段階で権利取得を申請するものである（特許出願のこと）。尚本発明に関しての製造コスト等は技術開発によりカバ−出来るものである。価格を低く出来ます。